(57)【要約】【課題】  本発明は、銀行券、パスポート、カード、商品タグ、ブランドプロテクション等の偽造防止、改竄防止が必要とされる貴重品に適用する画像形成体に関するものである。【解決手段】  光反射性層及び光透過性層が積層された基材に、前記光透過性層の表面に基本画像が形成され、前記基本画像内に潜像画像が形成され、前記基本画像は、特定の深度を有する溝状の点群及び／又は線群からなり、前記潜像画像は前記基本画像を形成する溝状の点群及び／又は線群内に、前記基本画像を形成する特定の深度とは異なった深度の溝状の点群及び／又は線群からなる画像形成体である。【選択図】  図１
2006247916.tif 000002
【特許請求の範囲】
【請求項１】
光反射性層及び光透過性層が積層された基材に、前記光透過性層の表面に背景画像部と潜像画像部が形成され、
前記背景画像部と前記潜像画像部は、特定の深度を有する溝状の点群及び／又は線群からなり、
前記背景画像部を形成する溝状の点群及び／又は線群の深度と、前記潜像画像部を形成する深度は異なってなる画像形成体。
【請求項２】
光反射性層及び光透過性層が積層された基材に、前記光透過性層の表面に背景画像部と潜像画像部が形成され、
前記背景画像部は、特定の深度を有する溝状の第１の万線と、前記第１の万線と交差する特定の深度を有する溝状の第２の万線からなり、
前記潜像画像は前記背景画像部を形成する前記第１の万線と前記第２の万線が交差する交点内に、前記背景画像部を形成する特定の深度とは異なった深度の溝状の点群からなる画像形成体。
【請求項３】
光反射性層及び光透過性層が積層された基材に、前記光透過性層の表面に背景画像部、第１の潜像画像部及び第２の潜像画像部が形成され、
前記背景画像部は、特定の深度を有する溝状の第１の万線と、前記第１の万線と交差する特定の深度を有する溝状の第２の万線からなり、
前記第１の潜像画像は、前記背景画像部を形成する前記第１の万線内に前記背景画像部を形成する特定の深度とは異なった深度の溝状の点群及び／又は線群からなり、
前記第２の潜像画像は、前記背景画像部を形成する前記第２の万線内に前記背景画像部を形成する特定の深度とは異なった深度の溝状の点群及び／又は線群からなる画像形成体。
【発明の詳細な説明】
【技術分野】
【０００１】
本発明は、銀行券、パスポート、カード、商品タグ、ブランドプロテクション等の偽造防止、改竄防止が必要とされる貴重品に適用する画像形成体に関するものである。
【背景技術】
【０００２】
銀行券、パスポート、カード、商品タグ、ブランドプロテクション等の貴重品は、その性質上、偽造、変造されにくいことが要求される。この防止策として、これらの貴重品を傾けて観察することにより潜像画像を認識できるようにして真偽判別を行う技術が知られている。凹版印刷物の画線構成を利用するもの、凹凸基材と印刷画線を利用するもの、凹凸の深さを利用するもの等が挙げられる。
【０００３】
前記凹版印刷物の画線構成を利用し、潜像画像を出現させるもの、例えば、凹版印刷された万線に潜像画像となる画線部を高い画線で構成し、その他の万線を潜像画像となる画線部より低い画線で構成している。印刷物は真上から観察した場合に潜像画像は視認できないが、傾けて観察すると潜像画像が発現するものが開示されている（特許文献１参照）。
【０００４】
前記凹凸基材と印刷画線を利用するもの、例えば、各種万線模様又はレリーフ模様、及びそれら双方の模様のいずれかの凹凸形状を有する素材と、前記素材の色及び無色透明以外の異なった他の色による一定な間隔を持つ各種万線画線又は網点画線、及びそれら双方の画線のいずれかを組み合わせることによって、印刷物の角度を変えて観察する時にのみ、特定の文字、図柄などが認識できるようにした潜像模様形成体とその作製方法が開示されている（特許文献２参照）。
【０００５】
前記凹凸の深さを利用するもの、例えば、互いに平行に微細な溝条と微細な突条とを交互に多数本刻設したマーク形成部を有したカードにおいて、前記突条の一部分を他の部分に対して盛り上げて形成することにより当該盛り上がり部分によって所定のマークを画成したことを特徴とするカードが開示されている（特許文献３参照）。
【０００６】
【特許文献１】特公昭５６−１９２７３号公報
【特許文献２】特許第２６１５４０１号公報
【特許文献３】実開平０２−１２７４７８号公報
【発明の開示】
【発明が解決しようとする課題】
【０００７】
上記従来技術は、総じて潜像領域を形成する画線とその周辺の背景領域を形成する画線の凹凸を異ならせて形成し、基材を傾けで観察した場合に潜像領域が始めて視認されるものであるが、基材を観察する方向、又は、基材を傾ける角度が限定され、傾ける角度が浅い角度では潜像領域を視認することが困難であった。仮に、浅い角度で潜像領域が視認できるものを作製するには潜像領域を形成する画線とその周辺の背景領域を形成する画線の凹凸を大きくしなければならないため、実質上、作製困難であり、例え、作製可能であったとしても、その凹凸差によって基材に対して真上から観察した場合においても潜像領域が視認されてしまう恐れがあった。また、観察する方向によって異なった潜像画像を出現させることは困難であった。さらに、視認される潜像領域の明暗は変化することはなかった。
【０００８】
本発明は、このような従来の問題を解決することを目的としたもので、潜像領域を形成する画線とその周辺の背景領域を形成する画線の凹凸差を大きくしなくとも、基材を傾ける角度が浅い角度で潜像領域を視認可能であり、観察する方向によって異なった潜像画像を出現させることが可能であり、潜像画像を視認するために観察する方向が特定されることなく、基材を傾ける角度によって視認される潜像領域の明暗が変化する画像形成体を提案することを目的とする。
【課題を解決するための手段】
【０００９】
本発明は、光反射性層及び光透過性層が積層された基材に、前記光透過性層の表面に背景画像部と潜像画像部が形成され、前記背景画像部と前記潜像画像部は、特定の深度を有する溝状の点群及び／又は線群からなり、前記背景画像部を形成する溝状の点群及び／又は線群の深度と、前記潜像画像部を形成する深度は異なってなる画像形成体である。
【００１０】
また、本発明は、光反射性層及び光透過性層が積層された基材に、前記光透過性層の表面に背景画像部と潜像画像部が形成され、前記背景画像部は、特定の深度を有する溝状の第１の万線と、前記第１の万線と交差する特定の深度を有する溝状の第２の万線からなり、前記潜像画像は前記背景画像部を形成する前記第１の万線と前記第２の万線が交差する交点内に、前記背景画像部を形成する特定の深度とは異なった深度の溝状の点群からなる画像形成体である。
【００１１】
また、本発明は、光反射性層及び光透過性層が積層された基材に、前記光透過性層の表面に背景画像部、第１の潜像画像部及び第２の潜像画像部が形成され、前記背景画像部は、特定の深度を有する溝状の第１の万線と、前記第１の万線と交差する特定の深度を有する溝状の第２の万線からなり、前記第１の潜像画像は、前記背景画像部を形成する前記第１の万線内に前記背景画像部を形成する特定の深度とは異なった深度の溝状の点群及び／又は線群からなり、前記第２の潜像画像は、前記背景画像部を形成する前記第２の万線内に前記背景画像部を形成する特定の深度とは異なった深度の溝状の点群及び／又は線群からなる画像形成体である。
【発明の効果】
【００１２】
本発明の画像形成体は、可視光下で肉眼で水平方向に徐々に傾けて観察した場合に、潜像領域の明暗（つまり、潜像画像がポジ画像からネガ画像に変化、ネガ画像からポジ画像に変化）は変化し、潜像画像の出現の有無、ネガポジの変化の有無によって真偽判別が可能となる。よって、特別な真偽判別装置等を用いることなく、誰でもその場で上記効果が得られるか否かによって真偽判別することができる。
【００１３】
さらに、本発明の画像形成体は複数の潜像画像を埋め込むことが可能であり、観察する方向によって異なった潜像画像を出現させることが可能である。また、実施の形態例１においては潜像画像を視認するために観察する方向が特定されることはない。
【００１４】
光反射性層及び光透過性層が積層された基材に特定の深度を有する溝状の点群及び／又は線群によって潜像画像を形成するため、従来よりも潜像領域を形成する溝状の点群及び／又は線群と、その周辺の背景領域を形成する溝状の点群及び／又は線群の凹凸差を大きくしなくとも、基材を傾ける角度が浅い角度で潜像領域を視認可能である。また、溝状の点群及び／又は線群はレーザで作製可能なため、貴重品個々に異なった情報（可変情報）を形成することができる。
【００１５】
以上のことから、本発明の画像形成体は、真偽判別効果が高く、微細な形状で形成するため改ざん、複製防止効果があり、銀行券、パスポート、カード、商品タグ、ブランドプロテクション等の偽造防止、改竄防止が必要とされる貴重品に適用することができる。
【発明を実施するための最良の形態】
【００１６】
本発明を実施するための最良の形態を図面を参照して説明する。しかしながら、本発明は以下に述べる実施するための最良の形態に限定されるものではなく、特許請求の範囲記載における技術的思想の範囲内であれば、その他のいろいろな実施の形態が含まれる。
【００１７】
（第１の例）
図１に画像形成体Ａ１とそのＸ−Ｘ’断面図を示す。図１（ａ）に示すように光反射性層１ａ及び光透過性層１ｂが積層された基材１に、光透過性層の表面に基本画像２が形成され、基本画像２内に潜像画像３が形成される。基本画像２は、特定の深度を有する溝状の点群５ａからなり、潜像画像３は基本画像２を形成する溝状の点群内に配置される。なお、ここでは、基本画像２内に潜像画像３が形成されているが、潜像画像３が形成されていない基本画像２の特定の深度を有する溝状の点群５ａからなる領域を背景領域４とし、背景領域４は特定の深度を有する溝状の点群５ａ’として説明する。潜像画像３は背景領域４を形成する特定の深度を有する溝状の点群５ａ’の深度より深い深度の溝状の点群５ｂからなる。図１（ｂ）の画像形成体Ａ１のＸ−Ｘ’断面図に示すように、潜像画像３の溝状の点群５ｂの深度Ｆ２は、背景領域４を形成する溝状の点群５ａ’の深度Ｆ１よりも深いことがわかる。上記説明では、潜像画像３は背景領域４を形成する特定の深度を有する溝状の点群５ａ’の深度より深い深度の溝状の点群５ｂによって形成しているが本発明は、これに限定されることなく、潜像画像３は背景領域４を形成する特定の深度を有する溝状の点群５ａ’の深度より浅い深度の溝状の点群５ｂによって形成してもよい。つまり、潜像画像３は背景領域４を形成する特定の深度を有する溝状の点群５ａ’の深度と異なった深度の溝状の点群５ｂによって形成すれば良い。
【００１８】
図２は、図１（ａ）に示した画像形成体Ａ１に対してＸ１、Ｘ２、Ｙ１又はＹ２方向から入射角４５°の可視光下において肉眼で垂直方向から観察した場合の図である。観察する方向については、図２（ａ）に示すようにＸ１、Ｘ２、Ｙ１、Ｙ２に限らず、３６０度、何れの方向から観察しても次の効果が得られる。図２（ｂ）に示すように入射光I1は背景領域４を形成する溝状の点群５ａ’上では、一部が乱反射I2し、反射光I3が得られる。入射光I1’は潜像画像３を形成する溝状の点群５ｂ上では、一部が乱反射光I2’し、反射光I3’が得られる。潜像画像３を形成する溝状の点群５ｂでは、背景領域４を形成する溝状の点群５ａ’より、点群の深度が深いため、乱反射光I2’は乱反射光I2よりも乱反射光量が多く、反射光I3’は反射光I3よりも反射光量が少ない。このようなことから潜像画像３を形成する溝状の点群５ｂ上と背景領域４を形成する溝状の点群５ａ’上では乱反射光量に大きな差異が生じる。よって、潜像画像３上は背景領域４上よりも明度が低く視認される。また、光反射性層１ａは反射光I3’及び反射光I3を強くするために設けられ、光反射性層１ａがない基材で形成すると潜像画像が視認し難い状況になる。
【００１９】
図３は、図１に示した画像形成体Ａ１に対してＸ１、Ｘ２、Ｙ１又はＹ２方向から入射角４５°の可視光下において肉眼で垂直方向から水平方向に徐々に傾けて観察した場合の図である。垂直方向から観察した場合は、潜像画像３を形成する溝状の点群５ｂでは、背景領域４を形成する溝状の点群５ａ’より、点群の深度が深いため、反射光量が少なく、背景領域４を形成する溝状の点群５ａ’よりも明度が低く視認され、潜像画像はネガ画像として視認される。更に傾けて観察すると、背景領域４を形成する溝状の点群５ａ’の反射光の光量と潜像画像３を形成する溝状の点群５ｂの反射光の光量が同一又はほぼ同一となり、潜像画像３と背景領域４が区分けして視認できない状況になり、基本画像２のみが視認される。更に水平方向に傾けて観察すると、潜像画像３を形成する溝状の点群５ｂでは、背景領域４を形成する溝状の点群５ａ’より、反射光量が多くなり、背景領域４を形成する溝状の点群５ａ’よりも明度が高く視認され、潜像画像はポジ画像として視認される。このようなことから、可視光下において肉眼で垂直方向から水平方向に徐々に傾けて観察した場合に潜像画像３はネガ画像からポジ画像に連続して徐々に反転する。ただし、潜像画像３を形成する溝状の点群５ｂが、背景領域４を形成する溝状の点群５ａ’より、点群の深度が浅い場合は、ポジ画像からネガ画像に連続して徐々に反転する。
【００２０】
（第２の例）
図４に画像形成体Ａ２とそのＹ−Ｙ’断面図を示す。図４に示すように光反射性層１ａ及び光透過性層１ｂが積層された基材１に、光透過性層の表面に基本画像２が形成され、基本画像２内に潜像画像３が形成される。基本画像２は、特定の深度を有する溝状の線群６ａからなり、潜像画像３は基本画像２を形成する溝状の線群６ａ内に配置される。なお、ここでは、基本画像２内に潜像画像３が形成されているが、潜像画像３が形成されていない基本画像２の特定の深度を有する溝状の線群６ａからなる領域を背景領域４とし、背景領域４は特定の深度を有する溝状の線群６ａ’として説明する。潜像画像３は背景領域４を形成する特定の深度を有する溝状の線群６ａ’の深度より深い深度の溝状の線群６ｂからなる。図４（ｂ）の画像形成体Ａ２のＹ−Ｙ’断面図に示すように、潜像画像３の溝状の線群６ｂの深度Ｆ２は、基本画像２を形成する溝状の線群６ａの深度Ｆ１よりも深いことがわかる。上記説明では、潜像画像３は背景領域４を形成する特定の深度を有する溝状の線群６ａ’の深度より深い深度の溝状の線群６ｂによって形成しているが本発明は、これに限定されることなく、潜像画像３は背景領域４を形成する特定の深度を有する溝状の線群６ａ’の深度より浅い深度の溝状の線群６ｂによって形成してもよい。つまり、潜像画像３は背景領域４を形成する特定の深度を有する溝状の線群６ａ’の深度と異なった深度の溝状の線群６ｂによって形成すれば良い。
【００２１】
図５は、図４（ａ）に示した画像形成体Ａ２に対してＸ１、Ｘ２方向から入射角４５°の可視光下において肉眼で垂直方向から観察した場合の図である。図４（ｂ）に示すように入射光I1は背景領域４を形成する溝状の線群６ａ’上では、一部が乱反射I2し、反射光I3が得られる。入射光I1’は潜像画像３を形成する溝状の線群６ａ上では、一部が乱反射光I2’し、反射光I3’が得られる。潜像画像３を形成する溝状の線群６ｂでは、背景領域４を形成する溝状の線群６ａ’より、線群の深度が深いため、乱反射光I2’は乱反射光I2よりも乱反射光量が多く、反射光I3’は反射光I3よりも反射光量が少ない。このようなことから、潜像画像３を形成する溝状の線群６ｂ上と背景領域４を形成する溝状の線群６ａ’上では乱反射光量に大きな差異が生じる。よって、潜像画像３上は背景領域４上よりも明度が低く視認される。また、光反射性層１ａは反射光I3’及び反射光I3を強くするために設けられ、光反射性層１ａがない基材で形成すると潜像画像が視認し難い状況になる。
【００２２】
図６は、図４に示した画像形成体Ａ２に対してＸ１又はＸ２方向から入射角４５°の可視光下において肉眼で垂直方向から水平方向に徐々に傾けて観察した場合の図である。垂直方向から観察した場合は、潜像画像３を形成する溝状の線群６ｂでは、背景領域４を形成する溝状の線群６ａ’より、点群の深度が深いため、反射光量が少なく、背景領域４を形成する溝状の線群６ａ’よりも明度が低く視認され、潜像画像はネガ画像として視認される。更に傾けて観察すると、背景領域４を形成する溝状の線群６ａ’の反射光の光量と潜像画像３を形成する溝状の線群６ｂの反射光の光量が同一又はほぼ同一となり、潜像画像３と背景領域４が区分けして視認できない状況になり、基本画像２のみが視認される。更に水平方向に傾けて観察すると、潜像画像３を形成する溝状の線群６ｂでは、背景領域４を形成する溝状の線群６ａ’より、反射光量が多くなり、背景領域４を形成する溝状の線群６ａ’よりも明度が高く視認され、潜像画像はポジ画像として視認される。このようなことから、可視光下において肉眼で垂直方向から水平方向に徐々に傾けて観察した場合に潜像画像３はネガ画像からポジ画像に連続して徐々に反転する。ただし、潜像画像３を形成する溝状の線群６ｂが、背景領域４を形成する溝状の線群６ａ’より、点群の深度が浅い場合は、ポジ画像からネガ画像に連続して徐々に反転する。
【００２３】
第１の例は基本画像及び潜像画像は溝状の点群から構成し、第２の例は基本画像及び潜像画像は溝状の線群から構成しているが、基本画像は溝状の線群から構成し、潜像画像は溝状の点群から構成しても良い。更に、第１の例と第２の例を組み合わせて、基本画像及び潜像画像は特定の深度を有する溝状の点群及び／又は線群から形成することができる。
【００２４】
（第３の例）
図７に画像形成体Ａ３とそのＸ−Ｘ’断面図を示す。図７に示すように光反射性層１ａ及び光透過性層１ｂが積層された基材１に、光透過性層の表面に基本画像２が形成され、基本画像２内に潜像画像３が形成される。基本画像２は、特定の深度を有する溝状の縦方向に延びる第１の万線８ａと、第１の万線８ｂと交差する特定の深度を有する溝状の横方向に延びる第２の万線８ｂからなり、潜像画像３は第１の万線８ｂと第２の万線８ｂが交差する交点内に配置される。なお、ここでは基本画像２内に潜像画像３が形成されているが、潜像画像３が形成されていない基本画像２の特定の深度を有する溝状の第１の万線８ａ及び第２の万線８ｂからなる領域を背景領域４とし、背景領域４は特定の深度を有する溝状の第１の万線８ａ’及び第２の万線８ｂ’ として説明する。潜像画像３は背景領域４を形成する特定の深度を有する溝状の第１の万線８ａ’及び第２の万線８ｂ’の深度より深い深度の溝状の点群５ｂからなる。図７（ｂ）の画像形成体Ａ３のＸ−Ｘ’断面図に示すように、潜像画像３の溝状の点群５ｂの深度Ｆ２は、基本画像２を形成する溝状の第１の万線８ａ及び第２の万線８ｂの深度Ｆ１よりも深いことがわかる。上記説明では、潜像画像３は背景領域４を形成する特定の深度を有する溝状の第１の万線８ａ’及び第２の万線８ｂ’の深度より深い深度の溝状の点群５ｂによって形成しているが、本発明は、これに限定されることなく、潜像画像３は背景領域４を形成する特定の深度を有する溝状の第１の万線８ａ’及び第２の万線８ｂ’の深度より浅い深度の溝状の点群５ｂによって形成してもよい。つまり、潜像画像３は背景領域４を形成する特定の深度を有する溝状の第１の万線８ａ’及び第２の万線８ｂ’の深度と異なった深度の溝状の点群５ｂによって形成すれば良い。また、基本画像２は、特定の深度を有する溝状の縦方向に延びる第１の万線８ａと、第１の万線８ｂと交差する特定の深度を有する溝状の横方向に延びる第２の万線８ｂによって形成しているが本発明は、これに限定されることなく、基本画像２は、特定の深度を有する溝状の第１の方向（例えば斜め４５度等）に延びる第１の万線８ａと、第１の万線８ｂと交差する特定の深度を有する溝状の第２の方向に延びる第２の万線８ｂによって形成してもよい。
【００２５】
図８は、図７（ａ）に示した画像形成体Ａ３に対してＳ１、Ｓ２方向から入射角４５°の可視光下において肉眼で垂直方向から観察した場合の図である。図７（ｂ）に示すように背景領域４を形成する溝状の第１の万線８ａ’及び第２の万線８ｂ’上では、一部が乱反射I2し、反射光I3が得られる。入射光I1’は潜像画像３を形成する溝状の点群５ｂ上では、一部が乱反射光I2’し、反射光I3’が得られる。潜像画像３を形成する溝状の点群５ｂでは、背景領域４を形成する溝状の第１の万線８ａ’及び第２の万線８ｂ’上より、点群の深度が深いため、乱反射光I2’は乱反射光I2よりも乱反射光量が多く、反射光I3’は反射光I3よりも反射光量が少ない。このようなことから、潜像画像３を形成する溝状の点群５ｂ上と背景領域４を形成する溝状の第１の万線８ａ’及び第２の万線８ｂ’上では乱反射光量に大きな差異が生じる。よって、潜像画像３上は背景領域４上よりも明度が低く視認される。また、光反射性層１ａは反射光I3’及び反射光I3を強くするために設けられ、光反射性層１ａがない基材で形成すると潜像画像が視認し難い状況になる。
【００２６】
図９は、図７に示した画像形成体Ａ３に対してＳ１、Ｓ２、Ｓ３又はＳ４方向から入射角４５°の可視光下において肉眼で垂直方向から水平方向に徐々に傾けて観察した場合の図である。垂直方向から観察した場合は、潜像画像３を形成する溝状の点群５ｂ上では、背景領域４を形成する溝状の第１の万線８ａ’及び第２の万線８ｂ’上より、点群の深度が深いため、反射光量が少なく、背景領域４を形成する溝状の第１の万線８ａ’及び第２の万線８ｂ’よりも明度が低く視認され、潜像画像はネガ画像として視認される。更に傾けて観察すると、背景領域４を形成する溝状の第１の万線８ａ’及び第２の万線８ｂ’の反射光の光量と潜像画像３を形成する溝状の点群５ｂの反射光の光量が同一又はほぼ同一となり、潜像画像３と背景領域４が区分けして視認できない状況になり、基本画像２のみが視認される。更に水平方向に傾けて観察すると、潜像画像３を形成する溝状の点群５ｂでは、背景領域４を形成する溝状の第１の万線８ａ’及び第２の万線８ｂ’より、反射光量が多くなり、背景領域４を形成する溝状の第１の万線８ａ’及び第２の万線８ｂ’よりも明度が高く視認され、潜像画像はポジ画像として視認される。このようなことから、可視光下において肉眼で垂直方向から水平方向に徐々に傾けて観察した場合に潜像画像３はネガ画像からポジ画像に連続して徐々に反転する。ただし、潜像画像３を形成する溝状の点群５ｂが、背景領域４を形成する溝状の第１の万線８ａ’及び第２の万線８ｂ’より、点群の深度が浅い場合は、ポジ画像からネガ画像に連続して徐々に反転する。
【００２７】
（第４の例）
図１０に画像形成体Ａ４とそのＸ１−Ｘ１’断面図、Ｘ２−Ｘ２’断面図を示す。図１０に示すように光反射性層１ａ及び光透過性層１ｂが積層された基材１に、光透過性層の表面に基本画像２が形成され、基本画像２内に第１の潜像画像３ａ及び第２の潜像画像３ｂが形成される。基本画像２は、特定の深度を有する溝状の縦方向に延びる第１の万線８ａと、第１の万線８ｂと交差する特定の深度を有する溝状の横方向に延びる第２の万線８ｂからなる。なお、ここでは基本画像２内に第１の潜像画像３ａ及び第２の潜像画像３ｂが形成されているが、第１の潜像画像３ａが形成されていない基本画像２の特定の深度を有する溝状の第１の万線８ａからなる領域を第１の背景領域４ａとし、第２の潜像画像３ｂが形成されていない基本画像２の特定の深度を有する溝状の第２の万線８ｂからなる領域を第２の背景領域４ｂとし、第１の背景領域４ａは特定の深度を有する溝状の第１の万線８ａ’からなり、第２の背景領域４ｂは特定の深度を有する溝状の第２の万線８ｂ’として説明する。第１の潜像画像３ａは、第１の万線８ａ’内に第１の万線８ａ’及び第２の万線８ｂ’の深度より深い深度の溝状の点群５ｂ１からなる。第２の潜像画像３ｂは、第１の万線８ｂ’内に第１の万線８ａ’及び第２の万線８ｂ’の深度より深い深度の溝状の点群５ｂ２からなる。図１０（ｂ）の画像形成体Ａ４のＸ１−Ｘ１’断面図に示すように、第１の潜像画像３ａの溝状の点群５ｂ１の深度Ｆ２は、第１の背景領域４ａを形成する溝状の第１の万線８ａ’及び第２の背景領域４ｂを形成する第２の万線８ｂ’の深度Ｆ１よりも深いことがわかる。図１０（ｃ）の画像形成体Ａ４のＸ２−Ｘ２’断面図に示すように、第２の潜像画像３ｂの溝状の点群５ｂ２の深度Ｆ２は、第１の背景領域４ａを形成する溝状の第１の万線８ａ’及び第２の背景領域４ｂを形成する第２の万線８ｂ’の深度Ｆ１よりも深いことがわかる。上記説明では、第１の潜像画像３ａ及び第２の潜像画像３ｂは第１の背景領域４ａを形成する溝状の第１の万線８ａ’及び第２の背景領域４ｂを形成する第２の万線８ｂ’の深度より深い深度の溝状の点群５ｂ１、５ｂ２によって形成しているが本発明は、これに限定されることなく、第１の潜像画像３ａ及び第２の潜像画像３ｂは第１の背景領域４ａを形成する溝状の第１の万線８ａ’及び第２の背景領域４ｂを形成する第２の万線８ｂ’の深度より浅い深度の溝状の点群５ｂ１、５ｂ２によって形成してもよい。つまり、第１の潜像画像３ａ及び第２の潜像画像３ｂは第１の背景領域４ａを形成する溝状の第１の万線８ａ’及び第２の背景領域４ｂを形成する第２の万線８ｂ’の深度と異なった深度の溝状の点群５ｂ１、５ｂ２によって形成すれば良い。また、基本画像２は、特定の深度を有する溝状の縦方向に延びる第１の万線８ａと、第１の万線８ｂと交差する特定の深度を有する溝状の横方向に延びる第２の万線８ｂによって形成しているが、本発明は、これに限定されることなく、基本画像２は、特定の深度を有する溝状の第１の方向（例えば４５度）に延びる第１の万線８ａと、第１の万線８ｂと交差する特定の深度を有する溝状の第２の方向に延びる第２の万線８ｂによって形成してもよい。
【００２８】
図１１は、図１０（ａ）に示した画像形成体Ａ４に対してＸ１、Ｘ２方向から入射角４５°の可視光下において肉眼で垂直方向から観察した場合の図及びそのＸ−Ｘ’断面図である。図１０（ｂ）に示すように第１の背景領域４ａを形成する溝状の第１の万線８ａ’上では、一部が乱反射I2し、反射光I3が得られる。入射光I1’は第１の潜像画像３ａを形成する溝状の点群５ｂ１上では、一部が乱反射光I2’し、反射光I3’が得られる。第１の潜像画像３ａを形成する溝状の点群５ｂ１では、第１の背景領域４ａを形成する溝状の第１の万線８ａ’上より、点群の深度が深いため、乱反射光I2’は乱反射光I2よりも乱反射光量が多く、反射光I3’は反射光I3よりも反射光量が少ない。このようなことから、第１の潜像画像３ａを形成する溝状の点群５ｂ１上と第１の背景領域４ａを形成する溝状の第１の万線８ａ’上では乱反射光量に大きな差異が生じる。よって、潜像画像３上は背景領域４上よりも明度が低く視認される。また、光反射性層１ａは反射光I3’及び反射光I3を強くするために設けられ、光反射性層１ａがない基材で形成すると潜像画像が視認し難い状況になる。
【００２９】
図１２は、図１０に示した画像形成体Ａ４に対してＸ１又はＸ２方向から入射角４５°の可視光下において肉眼で垂直方向から水平方向に徐々に傾けて観察した場合の図である。垂直方向から観察した場合は、第１の潜像画像３ａを形成する溝状の点群５ｂ１上では、第１の背景領域４ａを形成する溝状の第１の万線８ａ’上より、点群の深度が深いため、反射光量が少なく、第１の背景領域４ａを形成する溝状の第１の万線８ａ’よりも明度が低く視認され、潜像画像はネガ画像として視認される。更に傾けて観察すると、第１の背景領域４ａを形成する溝状の第１の万線８ａ’の反射光の光量と第１の潜像画像３ａを形成する溝状の点群５ｂ１の反射光の光量が同一又はほぼ同一となり、潜像画像３と背景領域４が区分けして視認できない状況になり、基本画像２のみが視認される。更に水平方向に傾けて観察すると、第１の潜像画像３ａを形成する溝状の点群５ｂ１では、第１の背景領域４ａを形成する溝状の第１の万線８ａ’より、反射光量が多くなり、第１の背景領域４ａを形成する溝状の第１の万線８ａ’よりも明度が高く視認され、潜像画像はポジ画像として視認される。このようなことから、可視光下において肉眼で垂直方向から水平方向に徐々に傾けて観察した場合に潜像画像３はネガ画像からポジ画像に連続して徐々に反転する。ただし、第１の潜像画像３ａを形成する溝状の点群５ｂ１が、第１の背景領域４ａを形成する溝状の第１の万線８ａ’より、点群の深度が浅い場合は、ポジ画像からネガ画像に連続して徐々に反転する。
【００３０】
図１３は、図１０（ａ）に示した画像形成体Ａ４に対してＹ１、Ｙ２方向から入射角４５°の可視光下において肉眼で垂直方向から観察した場合の図及びそのＹ−Ｙ’断面図である。図１０（ｂ）に示すように第２の背景領域４ｂを形成する溝状の第２の万線８ｂ’上では、一部が乱反射I2し、反射光I3が得られる。入射光I1’は第２の潜像画像３ｂを形成する溝状の点群５ｂ２上では、一部が乱反射光I2’し、反射光I3’が得られる。第２の潜像画像３ｂを形成する溝状の点群５ｂ２では、第２の背景領域４ｂを形成する溝状の第２の万線８ｂ’上より、点群の深度が深いため、乱反射光I2’は乱反射光I2よりも乱反射光量が多く、反射光I3’は反射光I3よりも反射光量が少ない。このようなことから第２の潜像画像３ｂを形成する溝状の点群５ｂ２上と第２の背景領域４ｂを形成する溝状の第２の万線８ｂ’上では乱反射光量に大きな差異が生じる。よって、潜像画像３上は背景領域４上よりも明度が低く視認される。また、光反射性層１ａは反射光I3’及び反射光I3を強くするために設けられ、光反射性層１ａがない基材で形成すると潜像画像が視認し難い状況になる。
【００３１】
図１４は、図１０に示した画像形成体Ａ４に対してＹ１又はＹ２方向から入射角４５°の可視光下において肉眼で垂直方向から水平方向に徐々に傾けて観察した場合の図である。垂直方向から観察した場合は、第２の潜像画像３ｂを形成する溝状の点群５ｂ２上では、第２の背景領域４ｂを形成する溝状の第２の万線８ｂ’上より、点群の深度が深いため、反射光量が少なく、第２の背景領域４ｂを形成する溝状の第２の万線８ｂ’よりも明度が低く視認され、潜像画像はネガ画像として視認される。更に傾けて観察すると、第２の背景領域４ｂを形成する溝状の第２の万線８ｂ’の反射光の光量と第２の潜像画像３ｂを形成する溝状の点群５ｂ２の反射光の光量が同一又はほぼ同一となり、潜像画像３と背景領域４が区分けして視認できない状況になり、基本画像２のみが視認される。更に水平方向に傾けて観察すると、第２の潜像画像３ｂを形成する溝状の点群５ｂ２では、第２の背景領域４ｂを形成する溝状の第２の万線８ｂ’より、反射光量が多くなり、第２の背景領域４ｂを形成する溝状の第２の万線８ｂ’よりも明度が高く視認され、潜像画像はポジ画像として視認される。このようなことから、可視光下において肉眼で垂直方向から水平方向に徐々に傾けて観察した場合に潜像画像３はネガ画像からポジ画像に連続して徐々に反転する。ただし、第２の潜像画像３ｂを形成する溝状の点群５ｂ２が、第２の背景領域４ｂを形成する溝状の第２の万線８ｂ’より、点群の深度が浅い場合は、ポジ画像からネガ画像に連続して徐々に反転する。
【００３２】
本発明の画像形成体の基本画像、潜像画像を形成する溝状の点群、溝状の線群、溝状の第１の万線、溝状の第２の万線等の溝は、光反射性層１ａ及び光透過性層１ｂが積層された基材１の光透過性層１ｂ内で形成される。よって、光反射性層１ａの領域まで溝の深度を形成してはならない。よって、例えば、光透過性層１の厚さがＨの場合、溝状の点群、溝状の線群、溝状の第１の万線、溝状の第２の万線等の溝の深さＦは、Ｈ≧Ｆの関係を満足しなければならない。
【００３３】
本発明の画像形成体の基本画像、潜像画像を形成する溝状の点群、溝状の線群、溝状の第１の万線、溝状の第２の万線等の溝の深さは、光反射性層１ａ及び光透過性層１ｂが積層された基材１の厚さによっても異なるが、５０μｍ〜３００μｍ程度が好ましい。また、本発明の画像形成体の基本画像、潜像画像を形成する溝状の点群、溝状の線群、溝状の第１の万線、溝状の第２の万線等の幅は、５０μｍ〜５００μｍ程度が好ましい。また、本発明の画像形成体の基本画像、潜像画像を形成する溝状の点群、溝状の線群、溝状の第１の万線、溝状の第２の万線等の長さは、特に限定されるものではない。これらの溝状の点群、溝状の線群、溝状の第１の万線、溝状の第２の万線等はレーザ加工機で形成することが可能である。溝状の点の形状は、特に限定されることはなく、円形、多角形及び特殊な形状の溝の少なくとも一つで形成することができる。多角形又は特殊な形状の溝を用いることによって、複製されにくくなるため偽造防止効果が向上する。溝状の線の形状は、特に限定されることはなく、直線、曲線、同心円及び特殊な形状の溝の少なくとも一つで形成することができる。
【００３４】
光反射性層１ａ及び光透過性層１ｂが積層された基材１の光反射性層１ａは、アルミニウム箔、金箔、銀箔等の表面反射率の高い金属箔が使用でき、金属箔と同様の材質を光透過性基材の裏面に金属蒸着させても良い。また、ホログラムを用いることにより、偽造防止の向上を図ることができる。
【００３５】
光反射性層１ａ及び光透過性層１ｂが積層された基材１の光透過性層１ｂは、透明な基材が好ましいが、光を透過できる基材であれば良く、色彩を有する半透明の基材も使用することができる。材質は、例えば、ポリエチレン、ポリプロピレン、ポリエステル、ナイロンポリウレタン、ポリ塩化ビニル、ポリ酢酸ビニル、ポリアクリル等が用いられる。
【００３６】
光反射性層１ａ及び光透過性層１ｂが積層された基材１の厚さは、特に限定されるものでなく６０μｍ程度の薄い基材から、７６０μｍ程度のカード基材等でも有効である。また、基材の裏面に接着層を設けて貴重品に貼付可能となる。貴重品に貼付された画像形成体を剥離しようとすると溝状の点群、溝状の線群が破壊され、不正に再利用することができなくなる。
【００３７】
本発明の基本画像、潜像画像は、文字、数字、記号及び絵柄の少なくとも一つであることにより、特定方向から観察した場合に容易に真偽判別することが可能である。
【実施例】
【００３８】
以下、実施例を用いて本発明を更に詳細に説明するが、本発明の内容は、これらの実施例の範囲に限定されるものではない。
【００３９】
（実施例1）
厚さ約180μmのポリエチレン基材の裏面にアルミ蒸着し、ポリエチレン基材から成る光反射性層、アルミ蒸着した光透過性層を有する基材を得た。アルミ蒸着していないポリエチレン基材の表面に正方形形状の直径約100μｍ、深度約150μｍの溝状の点をピッチ約200μｍで一定間隔でレーザ加工機によって点群を設け、潜像画像（文字Ｐ）を形成した。潜像画像（文字Ｐ）の周辺領域を正方形形状の直径約100μｍ、深度約100μｍの溝状の点をピッチ約200μｍで一定間隔でレーザ加工機によって点群を設け、背景画像を形成した。潜像画像と背景画像によって基本画像を形成し、画像形成体を作製した。画像形成体を可視光下において肉眼で垂直方向から水平方向に徐々に傾けて観察した場合に、潜像画像（文字Ｐ）はネガ画像からポジ画像に連続して徐々に反転して観察できた。
【００４０】
（実施例2）
厚さ約180μmのポリエチレン基材の裏面にアルミ蒸着し、ポリエチレン基材から成る光反射性層、アルミ蒸着した光透過性層を有する基材を得た。アルミ蒸着していないポリエチレン基材の表面に直径約100μｍ、深度約150μｍの溝状の直線をピッチ約200μｍで一定間隔でレーザ加工機によって線群を設け、潜像画像（文字Ｐ）を形成した。潜像画像（文字Ｐ）の周辺領域を直径約100μｍ、深度約100μｍの溝状の点をピッチ約200μｍで一定間隔でレーザ加工機によって線群を設け、背景画像を形成した。潜像画像と背景画像によって基本画像を形成し、画像形成体を作製した。画像形成体を可視光下において肉眼で垂直方向から水平方向に徐々に傾けて観察した場合に、潜像画像（文字Ｐ）はネガ画像からポジ画像に連続して徐々に反転して観察できた。
【００４１】
（実施例3）
厚さ約180μmのポリエチレン基材の裏面にアルミ蒸着し、ポリエチレン基材から成る光反射性層、アルミ蒸着した光透過性層を有する基材を得た。アルミ蒸着していないポリエチレン基材の表面に直径約100μｍ、深度約100μｍの溝状の直線をピッチ約200μｍで一定間隔でレーザ加工機によって縦方向に延びる第１の万線８ａを形成し、第１の万線と交差するように直径約100μｍ、深度約100μｍの溝状の直線をピッチ約200μｍで一定間隔でレーザ加工機によって縦方向に延びる第２の万線を形成した。第１の万線と第２の万線が交差する部分の内、潜像画像となる位置にのみ、交差した領域の深度が約150μｍになるようにレーザ加工機によって再度形成し、潜像画像（文字Ｐ）を形成し、画像形成体を作製した。画像形成体を可視光下において肉眼で垂直方向から水平方向に徐々に傾けて観察した場合に、潜像画像（文字Ｐ）はネガ画像からポジ画像に連続して徐々に反転して観察できた。
【００４２】
（実施例4）
厚さ約180μmのポリエチレン基材の裏面にアルミ蒸着し、ポリエチレン基材から成る光反射性層、アルミ蒸着した光透過性層を有する基材を得た。アルミ蒸着していないポリエチレン基材の表面に直径約100μｍ、深度約100μｍの溝状の直線をピッチ約200μｍで一定間隔でレーザ加工機によって縦方向に延びる第１の万線８ａを形成し、第１の万線と交差するように直径約100μｍ、深度約100μｍの溝状の直線をピッチ約200μｍで一定間隔でレーザ加工機によって縦方向に延びる第２の万線を形成した。第１の万線内に第１の潜像画像となる正方形形状の直径約100μｍ、深度約50μｍの溝状の点をピッチ約200μｍで一定間隔でレーザ加工機によって点群を設け、潜像画像（文字Ｐ）をレーザ加工機によって形成した。次に第２の万線内に第２の潜像画像となる正方形形状の直径約100μｍ、深度約50μｍの溝状の点をピッチ約200μｍで一定間隔でレーザ加工機によって点群を設け、潜像画像（文字Ｂ）をレーザ加工機によって形成し、画像形成体を作製した。画像形成体を横方向から観察した場合に可視光下において肉眼で垂直方向から水平方向に徐々に傾けて観察した場合に、潜像画像（文字Ｐ）はネガ画像からポジ画像に連続して徐々に反転して観察できた。更に画像形成体を縦方向から観察した場合に、可視光下において肉眼で垂直方向から水平方向に徐々に傾けて観察した場合に潜像画像（文字Ｐ）はネガ画像からポジ画像に連続して徐々に反転して観察できた。
【図面の簡単な説明】
【００４３】
【図１】画像形成体Ａ１とそのＸ−Ｘ’断面図を示す図である。
【図２】図１に示した画像形成体Ａ１に対して入射角４５°の可視光下において肉眼で垂直方向から観察した場合の図である。
【図３】図１に示した画像形成体Ａ１に対して入射角４５°の可視光下において肉眼で垂直方向から水平方向に徐々に傾けて観察した場合の図である。
【図４】画像形成体Ａ２とそのＹ−Ｙ’断面図を示す図である。
【図５】図４に示した画像形成体Ａ２に対して入射角４５°の可視光下において肉眼で垂直方向から観察した場合の図である。
【図６】図４に示した画像形成体Ａ２に対して入射角４５°の可視光下において肉眼で垂直方向から水平方向に徐々に傾けて観察した場合の図である。
【図７】画像形成体Ａ３とそのＸ−Ｘ’断面図を示す図である。
【図８】図７に示した画像形成体Ａ３に対して入射角４５°の可視光下において肉眼で垂直方向から観察した場合の図である。
【図９】図７に示した画像形成体Ａ３に対して入射角４５°の可視光下において肉眼で垂直方向から水平方向に徐々に傾けて観察した場合の図である。
【図１０】画像形成体Ａ４とそのＸ１−Ｘ１’断面図、Ｘ２−Ｘ２’断面図を示す図である。
【図１１】図１０に示した画像形成体Ａ４に対して入射角４５°の可視光下において肉眼で垂直方向から観察した場合の図及びそのＸ―Ｘ’断面図である。
【図１２】図１０に示した画像形成体Ａ４に対して入射角４５°の可視光下において肉眼で垂直方向から水平方向に徐々に傾けて観察した場合の図である。
【図１３】図１０に示した画像形成体Ａ４に対して入射角４５°の可視光下において肉眼で垂直方向から観察した場合の図及びそのＹ−Ｙ’断面図である。
【図１４】図１０に示した画像形成体Ａ４に対して入射角４５°の可視光下において肉眼で垂直方向から水平方向に徐々に傾けて観察した場合の図である。
【符号の説明】
【００４４】
１          基材
１ａ          光反射性層
１ｂ          光透過性層
２          基本画像
３          潜像画像
３ａ          第１の潜像画像
３ｂ          第２の潜像画像
４          背景領域
４ａ          第１の背景領域
４ｂ          第２の背景領域
５ａ          基本画像２を形成する溝状の点群
５ｂ          潜像画像３を形成する溝状の点群
５ａ’          背景画像４を形成する溝状の点群
５ｂ１          第１の潜像画像３ａを形成する溝状の点群
５ｂ２          第１の潜像画像３ｂを形成する溝状の点群
６ａ          基本画像２を形成する溝状の線群
６ｂ          潜像画像３を形成する溝状の線群
６ａ’          背景領域４を形成する溝状の線群
８ａ          基本画像２を形成する第１の万線
８ｂ          基本画像２を形成する第１の万線
８ａ’        背景領域４を形成する第１の万線
８ｂ’        背景領域４を形成する第２の万線
Ａ１、Ａ２、Ａ３、Ａ４          画像形成体
Ｆ、Ｆ１、Ｆ２          深度
Ｈ          厚さ
Ｉ１、Ｉ１’          入射光
Ｉ２、Ｉ２’          乱反射
Ｉ３、Ｉ３’          反射光
【図１】
2006247916.tif 000003
【図２】
2006247916.tif 000004
【図３】
2006247916.tif 000005
【図４】
2006247916.tif 000006
【図５】
2006247916.tif 000007
【図６】
2006247916.tif 000008
【図７】
2006247916.tif 000009
【図８】
2006247916.tif 000010
【図９】
2006247916.tif 000011
【図１０】
2006247916.tif 000012
【図１１】
2006247916.tif 000013
【図１２】
2006247916.tif 000014
【図１３】
2006247916.tif 000015
【図１４】
2006247916.tif 000016